(57)【要約】【課題】従来のスライドタイプとは異なり、斬新なデザインの開閉機構を備え、視覚効果も理想的であるスライド式電子装置を提供すること。【解決手段】本発明に係るスライド式電子装置は、操作側ケースと、表示側ケースと、リンク部材と、固定板、スライド板及びスライド板と固定板との間に設置される弾性素子から構成するスライド機構と、を備えてなる。表示側ケースが操作側ケースに対して開けられる過程において、リンク部材の表示側ケースに連結する一端は、リンク部材の操作側ケースに連結する一端を支点として回転するので、表示側ケースの一端は操作側ケースに対して傾くように立ち上がる。同時に、スライド板は固定板に対してスライドするため、表示側ケースの他端は、スライド板に連動されて操作側ケースの上面に沿って予定の距離をスライドしてから、弾性素子が解放する弾発力によって、操作側ケースに対してさらに自動的に傾くように立ち上がる。【選択図】図１
2011139429.tif 000002
【特許請求の範囲】
【請求項１】
操作側ケースと、
表示側ケースと、
両端が別々に前記操作側ケース及び前記表示側ケースに回転可能に連結される少なくとも１つのリンク部材と、
前記操作側ケースに取り付けられる固定板、前記固定板上にスライド可能に取り付けられ且つ一端が前記表示側ケースの片側に回転可能に連結されるスライド板及び前記スライド板と前記固定板との間に設置される弾性素子から構成するスライド機構と、
を備えてなるスライド式電子装置であって、
前記表示側ケースが前記操作側ケースに対して開けられる過程において、前記リンク部材の前記表示側ケースに連結する一端は、前記リンク部材の前記操作側ケースに連結する一端を支点として回転するので、前記リンク部材と前記操作側ケースの上面との間の角度はだんだん大きくなり、従って、前記表示側ケースの一端は前記操作側ケースに対して傾くように立ち上がり、同時に、
前記スライド板は前記固定板に対してスライドするため、前記表示側ケースの他端は、前記スライド板に連動されて前記操作側ケースの上面に沿って所定の距離をスライドしてから、前記弾性素子が解放される弾発力によって、前記操作側ケースに対してさらに自動的に傾くように立ち上がることを特徴とするスライド式電子装置。
【請求項２】
前記操作側ケースの上面には取付凹部が設けられ、前記スライド機構の固定板は前記取付凹部に固設されることを特徴とする請求項１に記載のスライド式電子装置。
【請求項３】
前記表示側ケースの片側には、前記表示側ケースの長辺が延在する方向に直交するように延在する２つの嵌合溝が設けられ、
前記スライド板の一端には２つの延出ロッドが伸びていて、前記延出ロッドは前記嵌合溝内に収納され、且つ前記表示側ケースに回転可能に連結されることを特徴とする請求項１に記載のスライド式電子装置。
【請求項４】
各嵌合溝の一端には第三連結軸が装着され、各延出ロッドの末端には前記第三連結軸に組み合せられるヒンジ穴が設けられることを特徴とする請求項３に記載のスライド式電子装置。
【請求項５】
前記操作側ケースの短手方向に沿う両側（短手方向における左右両側）には、それぞれ第一収容溝が対称的に設けられ、
前記表示側ケースの短手方向に沿う両側には、前記第一収容溝に対応する第二収容溝がそれぞれ設けられ、
前記第一収容溝の一端には第一連結軸が設置され、前記第二収容溝の相対する一端には第二連結軸が設置され、
各リンク部材の両端にはそれぞれノッチが設けられ、前記リンク部材の両端のノッチをそれぞれ前記第一連結軸及び前記第二連結軸に係止することにより、前記リンク部材の両端を前記表示側ケース及び前記操作側ケースに回転可能に連結することを特徴とする請求項１に記載のスライド式電子装置。
【請求項６】
前記固定板上には第一固定穴を有し、前記スライド板上には第二固定穴を有し、
前記弾性素子の両端は、それぞれ前記第一固定穴及び第二固定穴に固定され、且つ前記弾性素子の両端の接続線は前記スライド板のスライド方向に対して傾斜することを特徴とする請求項１に記載のスライド式電子装置。
【発明の詳細な説明】
【技術分野】
【０００１】
本発明は、スライド式電子装置に関し、特に表示側ケースが操作側ケースに対して短手方向にスライドするとともに斜めに開けられるスライド式電子装置に関するものである。
【背景技術】
【０００２】
現在市販されている電子装置は、一般的には、相対的に回転するかまたは相対的にスライドできる上筐体及び下筐体を含む。例えば、スライド式電子装置においては、前記上筐体を前記下筐体に対してスライドさせることができる。
【発明の概要】
【発明が解決しようとする課題】
【０００３】
従来のスライド式電子装置において、上筐体は下筐体の長手方向に沿ってスライドするので、スクリーンの視角をキーボードに対して調整できないという欠点がある。その結果、ユーザーはスクリーンを見るために視線を上へ移動し、また、キーボードを見るために視線を下へ移動しなければならない。このような繰り返し動作は、ユーザーの首に負担をかける。
【０００４】
最近、通信技術の飛躍的な発展に伴い、携帯電子装置のデザインに対する要求も段々高くなり、前記携帯電子装置における上筐体と下筐体との間の開閉機構は、携帯電子装置のデザインに関する重要な要素になった。従来の折り畳み式または縦方向スライド式以外の新しい開閉機構を備えた電子装置が望まれている。
【０００５】
以上の問題点に鑑みて、本発明の目的は、表示側ケースが操作側ケースに対して短手方向にスライドするとともに斜めに開けられるスライド式電子装置を提供することである。
【課題を解決するための手段】
【０００６】
前記問題を解決するために、本発明に係るスライド式電子装置は、操作側ケースと、表示側ケースと、両端は別々に前記操作側ケース及び前記表示側ケースに回転可能に連結される少なくとも１つのリンク部材と、前記操作側ケースに取り付けられる固定板、前記固定板上にスライド可能に取り付けられ且つ一端は前記表示側ケースの片側に回転可能に連結されるスライド板及び前記スライド板と前記固定板との間に設置される弾性素子から構成するスライド機構と、を備えてなる。前記表示側ケースが前記操作側ケースに対して開けられる過程において、前記リンク部材の前記表示側ケースに連結する一端は、前記リンク部材の前記操作側ケースに連結する一端を支点として回転するので、前記リンク部材と前記操作側ケースの上面との間の角度はだんだん大きくなり、従って、前記表示側ケースの一端は前記操作側ケースに対して傾くように立ち上がる。同時に、前記スライド板は前記固定板に対してスライドするため、前記表示側ケースの他端は、前記スライド板に連動されて前記操作側ケースの上面に沿って予定の距離をスライドしてから、前記弾性素子が解放する弾発力によって、前記操作側ケースに対してさらに自動的に傾くように立ち上がる。
【発明の効果】
【０００７】
従来の技術に比べて、前記スライド式電子装置の表示側ケースは操作側ケースに対してスライドして開放された後、表示ウインドウが所属する表面と押しボタンが所属する表面との間には、所定の傾斜角度が形成されるので、ユーザーは表示された情報を閲覧し易く、最もよい視覚効果を得られる。しかも、前記スライド式電子装置は、従来のスライドタイプとは異なる開閉機構を備えるから、デザイン性と面白さに富む。
【図面の簡単な説明】
【０００８】
【図１】本発明の実施形態に係るスライド式電子装置の分解図である。
【図２】図１に示すスライド式電子装置の表示側ケースの下面を示す図である。
【図３】図１に示すスライド式電子装置が組立てられた後の閉じられた状態での透視図である。
【図４】図１に示すスライド式電子装置が組み立てられた後の開いた状態での前方から見た立体図。
【図５】図１に示すスライド式電子装置が組み立てられた後の開いた状態での後方から見た立体図である。
【発明を実施するための形態】
【０００９】
以下、図１乃至図５を参照しながら、本発明の実施形態に係るスライド式電子装置について詳細に説明する。
【００１０】
図１に示したように、本発明の実施形態に係る電子装置１００は、操作側ケース１０と、表示側ケース２０と、スライド機構３０と、２つのリンク部材４０と、を備える。
【００１１】
前記操作側ケース１０の前記表示側ケース２０に対面する上面には、矩形の取付凹部１２、２つの第一収容溝１４及び複数の押しボタン１６が設けられている。前記取付凹部１２は、前記操作側ケース１０の中央部に位置し、且つその底部には前記スライド機構３０を取り付けるための複数の固定穴（図示せず）が設けられている。前記２つの第一収容溝１４は、前記操作側ケース１０の短手方向に延在する両側（短手方向における左右両側）に対称的に設けられ、且つ全て前記操作側ケース１０の１つの長辺から前記操作側ケース１０のもう１つの長辺に向かって延在する。各第一収容溝１４の一端には、前記リンク部材４０の一端に回転可能に連結する第一連結軸１４２が設置されている。前記複数の押しボタン１６は、前記操作側ケース１０の上面における前記第一連結軸１４２から離れる側に設けられる。
【００１２】
図２を一緒に参照すると、前記表示側ケース２０の前記操作側ケース１０に対面する下面には、２つの嵌合溝２２及び２つの第二収容溝２４が設けられている。前記２つの嵌合溝２２は、前記表示側ケース２０における前記操作側ケース１０の押しボタン１６を有する側に対応する側の中央部に互いに離間して設置されている。各嵌合溝２２の前記表示側ケース２０の長手方向の一端に近い箇所には、第三連結軸２２２が設置されている。前記２つの第二収容溝２４は、前記操作側ケース１０の２つの第一収容溝１４に対応して前記表示側ケース２０の短手方向に延在する両側に位置する。各第二収容溝２４の前記嵌合溝２２に近い一端には、前記リンク部材４０の他端に回転可能に連結する第二連結軸２４２が設置されている。前記表示側ケース２０の下面に対向する上面には、前記電子装置１００の情報や画面などを表示するための表示ウインドウ２６が実装されている。
【００１３】
前記スライド機構３０は、固定板３２、スライド板３４及び弾性素子３６を備える。前記固定板３２は、前記取付凹部１２に取り付けることができる矩形の薄板であり、前記固定板３２の長手方向の両側から前記固定板３２の外部に向かってそれぞれ略半弧状の断面を有するガイドレール３２２が延在して設置される。前記固定板３２の底部には１つの第一固定穴３２４及び複数の第一取付用孔３２６が設けられている。前記第一固定穴３２４は、前記固定板３２の１つの長辺に近接して略中央部に位置し、前記弾性素子３６の一端を固定するために用いられる。前記第一取付用孔３２６は、固定ピン等（図示せず）と組み合わせて前記固定板３２を前記取付凹部１２に装着するために用いられる。
【００１４】
前記スライド板３４は、略凹字状のベース部材３４１と、２つの延出ロッド３４３と、を含む。前記ベース部材３４１の長さは、前記固定板３２の長さより短く、前記ベース部材３４１の前記固定板３２に対面する下面の両側には、前記固定板３２のガイドレール３２２とスライドできるように組み合せる２つのスライド溝部３４２が形成されている。前記ベース部材３４１の一端の前記１つのスライド溝部３４２に近い箇所には、前記弾性素子３６の他端を固定するための第二固定穴３４４が開設されている。前記２つの延出ロッド３４３は、前記ベース部材３４１の他端から互いに平行するように同じ方向に向かって延在し、且つ前記表示側ケース２０の２つの嵌合溝２２に収納することができる。各延出ロッド３４３の末端には、ヒンジ穴３４３２が開設され、各延出ロッド３４３の前記ヒンジ穴３４３２の片側には、前記表示側ケース２０の第三連結軸２２２を係合するための切り口（図示せず）が形成されている。
【００１５】
前記弾性素子３６は、線形バネであり、リング状を呈する第一連結端３６２及び第二連結端３６４を含む。前記第一連結端３６２及び前記第二連結端３６４に固定ピン等を貫通させることにより、前記弾性素子３６を別々に前記固定板３２及び前記スライド板３４に固定できる。他の実施形態において、前記弾性素子３６は、圧縮スプリング、トーションバネ又は弾片等であってもよい。
【００１６】
前記リンク部材４０は、矩形のロッドであり、その両端にはそれぞれ１つのノッチ４２が設置されている。前記ノッチ４２により、前記リンク部材４０の両端を別々に前記操作側ケース１０の第一連結軸１４２と前記表示側ケース２０の第二連結軸２４２に回転可能に固定する。前記表示側ケース２０が前記操作側ケース１０重ね合わせた後、前記リンク部材４０は前記第一収容溝１４と第二収容溝２４とからなる空間内に収納される。
【００１７】
以下、図１及び図２を一緒に参照しながら、本発明のスライド式電子装置１００の組立ステップを詳細に説明する。
【００１８】
まず、前記スライド機構３０の各部品を一体に組み立てる。詳しく説明すると、先ず１つの固定ピンを利用して、前記弾性素子３６の第二連結端３６４を前記スライド板３４の第二固定穴３４４に固定する。次に、前記固定板３２のガイドレール３２２を前記スライド板３４のスライド溝部３４２に挿入する。最後に、他の固定ピンを利用して、前記弾性素子３６の第一連結端３６２を前記固定板３２の第一固定穴３２４に固定する。この際、前記弾性素子３６は前記スライド板３４と前記固定板３２との間に撓んだ状態で設置される。
【００１９】
次に、前記スライド機構３０を前記操作側ケース１０の取付凹部１２内に設置してから、固定ピンを順次に前記固定板３２の第一取付孔３２６及び前記取付凹部１２の固定穴に貫通させて、前記スライド機構３０を前記取付凹部１２に堅牢に装着する。
【００２０】
その後、前記スライド板３４の２つの延出ロッド３４３を前記表示側ケース２０の２つの嵌合溝２２に差込んでから、前記嵌合溝２２の第三連結軸２２２を前記ヒンジ穴３４３２の切り口に貫通させて、前記２つの延出ロッド３４３を前記表示側ケース２０に回転可能に連結する。
【００２１】
最後に、各リンク部材４０の両端をそれぞれ前記操作側ケース１０の第一連結軸１４２と前記表示側ケース２０の第二連結軸２４２とに回転可能に連結する。これで、前記スライド式電子装置１００を一体に組み立てた。
【００２２】
図３に示したように、前記表示側ケース２０が前記操作側ケース１０に重ね合わせられ、前記電子装置１００は閉状態になると、前記スライド板３４は前記固定板３２の一端に位置し、前記弾性素子３６は圧縮されて、前記弾性素子３６の両端の接続線は、前記スライド板３４のスライド方向に対して斜めになる。前記スライド板３４の２つの延出ロッド３４３は別々に前記表示側ケース２０の２つの嵌合溝２２内に収納され、前記リンク部材４０は、前記操作側ケース１０の第一収容溝１４と前記表示側ケース２０の第二収容溝２４とから構成する空間内に収納される。
【００２３】
図４及び図５に示したように、前記スライド式電子装置１００を開く場合、前記表示側ケース２０の前記延出ロッド３４３に連結する一端を前記操作側ケース１０の短手方向に沿って推進すると、前記スライド板３４は前記表示側ケース２０に連動されて前記固定板３２の他端に向かってスライドするとともに、前記リンク部材４０の前記表示側ケース２０に連結する一端は、前記リンク部材４０の前記操作側ケース１０に連結する一端を支点として回転する。従って前記リンク部材４０と前記操作側ケース１０の上面との間の角度はだんだん大きくなり、前記表示側ケース２０の押圧されない一端は前記リンク部材４０に連動されて前記操作側ケース１０に対して傾くように立ち上がるとともに、前記表示側ケース２０の前記延出ロッド３４３と連結する一端は前記操作側ケース１０の上面に沿ってスライドする。このようにして、前記表示側ケース２０は前記操作側ケース１０に対して短手方向にスライドするとともに斜めに開けられる。
【００２４】
前記スライド板３４が前記固定板３２に対してスライドする過程において、前記弾性素子３６の２つの接続点の距離はだんだん短くなるから、前記弾性素子３６は弾発力を蓄積する。前記弾性素子３６の両端の接続線が前記表示側ケース２０のスライド方向に略直交する場合、前記弾性素子３６の弾発力は最大になり、前記スライド板３４がこの位置を滑り超えると、前記弾性素子３６が解放する弾発力によって、前記スライド板３４はさらに自動的にスライドする。従って、前記表示側ケース２０を所定の距離を推進した後、前記表示側ケース２０に印加する外力を除去して、前記スライド板３４が前記操作側ケース１０の取付凹部１２の一端に当接するまで、前記表示側ケース２０は前記スライド板３４に連動されて自動的にスライドする。それと同時に、前記リンク部材４０も所定の角度まで回転して、前記表示側ケース２０は前記操作側ケース１０に対して最適な傾斜角度に保たれるから、ユーザーは前記表示側ケース２０の表示ウインドウ２２に表示された画面を閲覧し易く、最もよい視覚効果を得られる。しかも、前記スライド式電子装置１００は、従来のスライドタイプとは異なる開閉機構を備えることから、デザイン性に富む。
【００２５】
なお、本発明は上述した実施形態に限定されるものではない。例えば、前記取付凹所１２を前記操作側ケース１０の長手方向の片側に隣接して設けることができ、相対的に前記スライド機構３０は前記取付凹所１２に収容され、且つ前記嵌合溝２２は前記表示側ケース２０の中部に開設されているため、前記表示側ケース２０が前記操作側ケース１０に対して開けられた後、前記取付凹部１２が露出されない。
【００２６】
また、前記延出ロッド３４３のヒンジ穴３４３２の周りに切り口を開設しなくてもよい。組み立てる場合、前記第三連結軸２２２を取り外して前記ヒンジ穴３４３２に直接貫通させてから、再び前記第三連結軸２２２を前記嵌合溝２２に装着すればよい。
【００２７】
また、前記リンク部材４０の数量を１つにしてもよい。
【００２８】
以上、本発明の好適な実施形態について詳細に説明したが、本発明は前記実施形態に限定されるものではなく、本発明の範囲内で種々の変形又は改良が可能であり、該変形又は改良も、本発明の特許請求の範囲内に含まれるものであるのがいうまでもない。
【符号の説明】
【００２９】
１０        操作側ケース
１２        取付凹部
１４        第一収容溝
１６        押しボタン
２０        表示側ケース
２２        嵌合溝
２４        第二収容溝
２６        表示ウインドウ
３０        スライド機構
３２        固定板
３４        スライド板
３６        弾性素子
４０        リンク部材
４２        ノッチ
１００      スライド式電子装置
１４２      第一連結軸
２２２      第三連結軸
２４２      第二連結軸
３２２      ガイドレール
３２４      第一固定穴
３２６      第一取付用孔
３４１      ベース部材
３４２      スライド溝部
３４３      延出ロッド
３４４      第二固定穴
３６２      第一連結端
３６４      第二連結端
３４３２    ヒンジ穴
【図１】
2011139429.tif 000003
【図２】
2011139429.tif 000004
【図３】
2011139429.tif 000005
【図４】
2011139429.tif 000006
【図５】
2011139429.tif 000007